(57)【特許請求の範囲】
【請求項１】
室内機本体の前面部に前面パネルを開閉自在に設けた空気調和機の室内機であって、
前記前面パネルは、
樹脂製パネルと、
前記樹脂製パネルの前面に着脱可能に取り付けた金属製パネルと、
前記樹脂製パネルと前記金属製パネルとで挟持されるようにそれらの間に介在設置した吸音材とで構成されており、
前記樹脂製パネルは、背面に前記室内機本体への取付具を備え、
前記金属製パネルは、アルミニウム又はステンレスで構成されている
ことを特徴とする空気調和機の室内機。
【請求項２】
前記金属製パネルには、周縁にフランジ部が形成され、該フランジ部に複数の係止穴が形成されており、
前記樹脂製パネルには、周縁の複数箇所に前記係止穴とそれぞれ係合可能なばね性のある複数のフックが設けられていることを特徴とする請求項１記載の空気調和機の室内機。
【請求項３】
前記吸音材は、弾力性を有する材料で構成されていることを特徴とする請求項１又は２記載の空気調和機の室内機。
【請求項４】
前記金属製パネルは、前面に装飾が施されていることを特徴とする請求項１乃至請求項３のいずれかに記載の空気調和機の室内機。
【請求項５】
前記金属製パネルは、表面に耐食性皮膜が形成されていることを特徴とする請求項１乃至請求項４のいずれかに記載の空気調和機の室内機。
【発明の詳細な説明】
【技術分野】
【０００１】
本発明は、空気調和機の室内機、特に室内機本体の前面部に設けられる前面パネルに関する。
【背景技術】
【０００２】
空気調和機の室内機は、一般に室内機本体の前面部に樹脂のみで作られた開閉自在に前面パネルが設けられている。この樹脂性前面パネルの意匠性は、基本的形状が樹脂部品で実現可能な形状に留まり、更なる意匠性の向上は、その樹脂部品の表面にシボや光沢を追加したり、別の樹脂部品との組み合わせや、コストの掛かる塗装や印刷処理、印刷物の熱や水による転写やインモールド成形、シール類の貼り付けなどによる視覚的なものであった。例えば、ベース部品となる樹脂のみで作られた開閉可能な前面パネルに、スリット形状やリブ形状を設け、リブの前面に加熱圧着による熱転写でアルミ製箔を貼り付けたものがある（例えば、特許文献１参照）。
【先行技術文献】
【特許文献】
【０００３】
【特許文献１】特開平１１−８３０６５号公報(図２，図３)
【発明の概要】
【発明が解決しようとする課題】
【０００４】
樹脂部品は、樹脂の流動性や成形性、ヒケやウェルドなどの意匠性などを考慮して肉厚を均等にするため、どんなにサイズが大きくても比較的軽量にできる。しかし、その反面、叩いたときに軽い印象を与える音のために重量感が得られず、樹脂の特徴である温度感のない冷たい感触も重なり、安っぽく感じてしまう。それを補うべく、既述したようにアルミ箔からなるシートを貼ったものがあるが、コストを掛けても、見た目だけの高級感に過ぎず、実際のアルミとは程遠い質感であった。
【０００５】
本発明は、以上の点に鑑み、前面パネルの高い意匠性と実際に触れたり叩いたりした時の高級感や重量感が損なわれることのない空気調和機の室内機を得ることを目的とする。
【課題を解決するための手段】
【０００６】
本発明に係る空気調和機の室内機は、室内機本体の前面部に前面パネルを開閉自在に設けた空気調和機の室内機であって、前面パネルが、樹脂製パネルと、樹脂製パネルの前面に着脱可能に取り付けた金属製パネルと、樹脂製パネルと金属製パネルとで挟持されるようにそれらの間に介在設置した吸音材とで構成されており、樹脂製パネルは、背面に室内機本体への取付具を備え、金属製パネルは、アルミニウム又はステンレスで構成されているものである。
【発明の効果】
【０００７】
本発明の空気調和機の室内機によれば、金属製パネルに触れた時に冷たさや暖かさという温度感を感じられ、開閉時など前面パネルを手で持ち上げた時には金属製パネルの重量感を感じられる。また、金属製パネルの形状形成は、曲げ加工や絞り加工など加工形成に制限があるが、樹脂製パネルの多種多様な形状形成によってそれを補うことができる。そのため、金属製パネルと樹脂製パネルの固定部を容易に形成することができる。更には、樹脂製パネルと金属製パネルとで挟持されるようにそれらの間に吸音材を介在設置しているので、金属製パネルを叩いた時の音に重量感を付加することができる。
また、樹脂製パネルは、背面に室内機本体への取付具を備えているので、金属製パネルと吸音材とが一体化した状態で開閉可能であり、その開閉の際は、３つの部品すなわち樹脂製パネルと金属製パネルと吸音材の総重量が手に掛かるため、叩いた時の音だけでなく、実際に重量感を与えることができる。
【図面の簡単な説明】
【０００８】
【図１】本発明の実施形態に係る空気調和機の室内機を側方より示す断面図である。
【図２】本発明の実施形態に係る空気調和機の室内機の開閉可能な前面パネル全体の斜視図である。
【図３】本発明の実施形態に係る空気調和機の室内機の前面パネルの中央部断面斜視図である。
【図４】本発明の実施形態に係る空気調和機の室内機の前面パネルの中央部断面図である。
【図５】図４のＡ部の拡大断面図である。
【発明を実施するための形態】
【０００９】
以下、図示実施形態により本発明を説明する。
図１は本発明の実施形態に係る空気調和機の室内機を側方より示す断面図である。図２は本発明の実施形態に係る空気調和機の室内機の開閉可能な前面パネル全体の斜視図である。図３は本発明の実施形態に係る空気調和機の室内機の前面パネルの中央部断面斜視図である。図４は本発明の実施形態に係る空気調和機の室内機の前面パネルの中央部断面図である。図５は図４のＡ部の拡大断面図である。
【００１０】
本発明の実施形態の空気調和機の室内機は、図１乃至図４に示すように、筐体２と、筐体２の前面に開閉可能に設けられた前面パネル３と、筐体２に収容されて支持された熱交換器５及び送風機６と、筐体２の上部に設けられた吸込口４と、筐体２の前面の下部に設けられた吹出口７と、を備えており、室内の壁面に固定された据付板１に筐体２が支持されることで室内の壁面に据え付けられるようになっている。
【００１１】
例えば、室外機の熱交換器に接続された冷媒配管を室内機左側からの配管(左配管)で室内機接続し、室内機本体を室内の壁に据付ける場合は、まず左右方向に長い形状を有した据付板１を壁にネジ、釘、ボルトなどで固定する。次いで、筐体２に設けられた引っ掛け部を据付板１に設けられた凸部に引っ掛けた状態で、室内機の熱交換器５に接続されている室内機側冷媒配管と、室外機の熱交換器に接続されている室外機側冷媒配管を、室内機本体の裏面下部中央で接続する。次に接続された冷媒配管を筐体裏面下部中央の空間に収納し、据付板１下端のフランジ部の切り欠きと筐体２下部の係止爪とを固定させることで、空気調和機本体を壁に固定する。
【００１２】
前面パネル３は、図５に示すように、樹脂製パネル１０と、樹脂製パネル１０の前面に着脱可能に取り付けた金属製パネル９と、樹脂製パネル１０と金属製パネル９とで挟持されるように、換言すればそれらの間の隙間を埋めるように介在設置した吸音材１１とで構成されている。
【００１３】
これを更に詳述すると、金属製パネル９を構成する金属とは、ここではアルミニウムやステンレス等を指す。その金属製パネル９には、周縁のフランジ部に複数の係止穴９ａが形成され、これらの係止穴９ａに樹脂製パネル１０の周縁の複数箇所に設けたばね性のあるフック１０ａが係合できるようになっていて、これにより樹脂製パネル１０と金属製パネル９とが連結されるようになっている。
【００１４】
樹脂製パネル１０と金属製パネル９との間に介在させる吸音材１１は、樹脂製パネル１０と金属製パネル９との間に形成される隙間よりも厚みのある弾力性を有する材料、例えば発泡系断熱材(フォーム材)や繊維系断熱材、ゴムなどで構成されている。これにより、吸音材１１は、樹脂製パネル１０と金属製パネル９の形状バラツキによる隙間のバラツキにも影響なく取り付けが可能となっている。
【００１５】
樹脂製パネル１０と金属製パネル９の連結力は、金属製パネル９のもつ剛性や、樹脂製パネル１０と金属製パネル９の間に挟持（圧縮）されている吸音材１１の弾性力(反発力)によって増すようになっている。
【００１６】
また、吸音材１１によって樹脂製パネル１０と金属製パネル９の間の空間の密閉度が増すので、金属製パネル９を叩いたときに鳴る音が籠もった音になる。このため、中身の詰まった塊であるように感じさせることができる。
【００１７】
樹脂製パネル１０は、室内機本体に対して開閉可能とする取付具（図示せず）を背面に備えている。そのため、金属製パネル９と吸音材１１とが一体化した状態で開閉可能であり、その開閉の際は、３つの部品すなわち樹脂製パネル１０と金属製パネル９と吸音材１１の総重量が手に掛かるため、叩いた時の音だけでなく、実際に重量感を与えることができる。
【００１８】
また、金属製パネル９は、使用環境によって温度変化するため、触れた際にその温度感を感じることができる。更に、金属製パネル９は、加工性がよいため、この加工性の高さを生かして前面にヘアラインや鏡面加工、ダイアモンドカットなどを施すことにより、感覚的および視覚的に高級感を付加させることができる。更にまた、金属製パネル９は、金属の特性である経年腐食を抑制するアルマイトやメッキ、塗装などの、金属腐食を抑制または防止する処理を施すことにより、その表面の高級感を持続または延命させることができる。また、金属製パネル９は、経年腐食のメンテナンスなどのために樹脂製パネル１０から容易に外すことができるので、メンテナンスの作業性が向上する。金属製パネル９の樹脂製パネル１０からの取り外しは、金属製パネル９の係止穴９ａに係合している樹脂製パネル１０のばね性のあるフック１０ａを、係止穴９ａに工具を挿入して内側にしならせることにより簡単に行うことができる。
【符号の説明】
【００１９】
１  据付板、２  筐体、３  前面パネル、４  吸込口、５  熱交換器、６  送風機、７  吹出口、９  金属製パネル、９ａ  係止穴、１０  樹脂製パネル、１０ａ  フック、１１  吸音材。
【図１】
0005606339.tif 000002
【図２】
0005606339.tif 000003
【図３】
0005606339.tif 000004
【図４】
0005606339.tif 000005
【図５】
0005606339.tif 000006